【事件の表示】
　平成　９年特許願第１９９７９７号「田植機」拒絶査定不服審判事件〔平成１０年　３月１０日出願公開、特開平１０−　６６４２４〕について、次のとおり審決する。
【結　論】
　本件審判の請求は、成り立たない。
【理　由】
１．手続の経緯・本願発明
　本願は、平成４年１月２４日に出願された特願平４−１０６８５号出願の一部を平成９年７月２５日に新たな出願としたものであって、その請求項１に係る発明（以下、「本願発明」という。）は、平成１６年１０月１８日に提出された手続補正書で補正された明細書及び図面の記載からみて、その特許請求の範囲の請求項１に記載された次のとおりのものである。
　「上方側ほど前方に位置する前傾姿勢の苗のせ台（７）に載置された苗を該苗のせ台（７）の下端部から植付機構（８）で取り出して圃場に植付ける作動を行うと共に、この植付け作動時に横送り機構（Ａ）で苗のせ台（７）を横方向に往復作動させ、この作動によって苗のせ台（７）が横移動ストロークエンドに達する毎に縦送り装置（９）で苗のせ台（７）に載置された苗を所定量ずつ下端側に向けて送る作動を行うよう苗植付装置（２）が構成されている田植機であって、
　前記苗のせ台（７）を横移動自在に搭載する固定側枠体を、後部側に前記植付機構（８）を備えて苗のせ台（７）の横移動方向での複数箇所に配置されたフィードケース（６）と、各フィードケース（６）の前部側を互いに連結するフレーム（５）とにより構成し、
　前記横送り機構（Ａ）を、苗植付装置（２）の前記固定側枠体に備えた植付伝動ケース（４）に一端側を支持させるとともに他端側を植付伝動ケース（４）の横一側外方に突出配置した螺軸（１８）と、この螺軸（１８）に形成された往復螺旋溝（２０）に係合して前記螺軸（１８）の回転により苗のせ台（７）を横方向に往復移動させるように前記苗のせ台（７）側に固定されたコマ部材（２１）とで構成し、
　前記植付伝動ケース（４）の前記螺軸（１８）を突出配置した側と同じ横一側外方に縦送り動力伝達用の常時回転軸（２７）を突出配置し、苗のせ台（７）が横移動ストロークエンドに達する毎に、この常時回転軸（２７）に取付けた左右一対の回転カム（２９）を、苗のせ台（７）側に設けた単一の接当アーム（３０）に接当させて前記縦送り装置（９）を駆動するよう構成し、
　前記常時回転軸（２７）を、その左右一対の回転カム（２９）の回転軌跡が前記フィードケース（６）及びフレーム（５）の下端よりも上方で、前記螺軸（１８）よりも下方に配設するとともに、前記植付伝動ケース（４）から突出する螺軸（１８）の突出端の位置を、左右方向で前記左右一対の回転カム（２９）が位置する箇所よりも伝動ケース（４）から離れた箇所に設定して、前記常時回転軸（２７）に装備された前記左右一対の回転カム（２９）が、上下方向では前記フィードケース（６）及びフレーム（５）の下端と前記螺軸（１８）との間に位置し、かつ、左右方向では、前記植付伝動ケース（４）から突出する螺軸（１８）の突出長さ範囲内に位置するように配設してあり、
　前記植付伝動ケース（４）に一端側を支持される螺軸（１８）は、当該植付伝動ケース（４）から突出する伝動用の軸のうちで最も高位に位置するように、植付伝動ケース（４）の上部箇所に配設されているとともに、前記植付伝動ケース（４）内の伝動系に走行機体側からの動力を伝える伝動軸（１４）を前記螺軸（１８）よりも下方箇所で、かつ前記フィードケース（６）内の伝動系に対する入力用伝動軸（３２，３４）よりも上方位置で前記植付伝動ケース（４）に支持させ、前記伝動軸（１４）から上方側に向けて前記螺軸（１８）に対する駆動系に介装される変速機構（１７）を設け、前記伝動軸（１４）から下方側に向けて前記フィードケース（６）内の伝動系に対する入力用伝動軸（３２，３４）への伝動機構（３１）を配設し、
　又、植付伝動ケース（４）における前記螺軸（１８）の配設側とは反対側の横側部に、前記螺軸（１８）に対する駆動系に介装される変速機構（１７）の変速操作具（３６）を配置してある田植機。」
　
２．引用刊行物記載の発明
（１）当審における拒絶の理由に引用された特開平２−２６１３０７号公報（以下、「引用刊行物１」という。）には、次の記載が認められる。
（１-a）「(21)は田植機の走行部(Ｂ)のミッションケース(５)と植付部(Ｃ)の植付駆動ケース(22)とを連結する植付駆動軸である。」（３頁右上欄１２〜１４行）、
（１-b）「植付部(Ｃ)は、上記植付フレーム(29)の上方に配設した苗載台(33)上の苗を植付駆動ケース(22)の後部に設けた植付機構部(34)の作動により圃場に植付けるようにしている。」（４頁左上欄５〜８行）、
（１-c）「横送り軸(42)の左側には苗載台(33)を左右に横送りする横送りネジ(46)を連結していると共に、同横送り軸(42)の中央には縦送り駆動ギヤ(47)を軸支している。」（４頁右上欄９〜１２行）、
（１-d）「縦送り駆動軸(48)の右側には連結継手(50-1)(50-2)を介して苗載台(33)の苗を縦送りする縦送りカム軸(51)を連結している。
　また、(52)は縦送りカム軸(51)に一体的に突設する縦送りカムである。また、縦送りカム軸(51)の左端はボールベアリング(53-1)により回転自在に支持されている。・・・上記横送りネジ(46)及び縦送りカム軸(51)は、植付駆動ケース(22)の左側(ｂ)位置に連結されているものである。」（４頁右上欄１５行〜同頁左下欄７行）、
（１-e）「植付駆動ケース(22)の左右両側に連結する植付伝動軸(57)は、第３図に示す如く連結パイプ(71)にて覆われている。また、(72)は植付アーム駆動軸(60)を覆いながらベベルギヤ伝動機構(64-1)(64-2)を連結支持する駆動軸ケースである。」（４頁右下欄１５〜２０行）、
（１-f）「第７図は苗載台(33)の取付状態を示すものであって、同苗載台(33)を断面円形の駆動軸ケース(72)にて支持しており、(79)は、駆動軸ケース(72)の上部に突設する支持板で、上部に上下方向に長孔(80)を形成している。」（５頁左上欄１９行〜同頁右上欄３行）、
（１-g）「第８図は、苗載台(33)を支持するサイドフレームの取付構造を示すものであって、(93)は植付駆動ケース(22)に固定する植付取付台、(94)は植付取付台(93)の前方に設けるローリングシャフトで昇降リンク機構(23)に連結されている。
　(95)は植付取付台(93)の上部に連結するＵ字状のサイドフレームで左右一体となっている。そして、サイドフレーム(95)の上部には苗載台支持用の支持ローラ(96)を装着している。」（５頁左下欄１４行〜同頁右下欄２行）、
（１-h）「苗載台(33)の左右移動量を変更して苗取量を調節する場合は、植付駆動ケース(22)の右側面(ａ)に連結する横送り切換ギヤケース(44)を取出して、横送り駆動歯車(41)及び横送り従動歯車(43)の歯車比を変更して再度組付けることにより、横送り軸(42)及び横送りネジ(46)の回転速度を変更する。これにより、横送りネジ(46)に連動連結する苗載台(33)の移動量が変更させるものである。」（５頁右下欄９〜１７行）、
（１-i）「横送りネジ(46)と縦送りカム軸(51)が植付駆動ケース(22)の左側(ｂ)にまとめて位置するために、入力軸(35)の偏心を含めて重量配分が良好となり、さらに、軸受部がサイドフレーム(95)近傍に位置するので、植付フレーム(29)が機能的に構成できるものである。」（６頁左上欄１４〜１９行）。
（１-j）第１図には、上方側ほど前方に位置する前傾姿勢の苗載台(33)が記載されており、第２図には、横送りネジ(46)の左端はボールベアリングにより回転自在に支持されていることが示されている。
（１-k）第２図には、植付駆動ケース(22)から突出する横送りネジ(46)の突出端の位置を、左右方向で前記左右一対の縦送りカム(52)が位置する箇所よりも植付駆動ケース(22)から離れた箇所に設定して、前記カム軸(51)に装備された前記左右一対の縦送りカム(52)が、左右方向では、前記植付駆動ケース(22)から突出する横送りネジ(46)の突出長さ範囲内に位置するように配設してあることが示されている。
　そして、引用刊行物１記載のものにおいて、横送りネジ(46)に往復螺旋溝が形成されていて、苗載台(33)側に固定されたコマ部材が螺合していること、及び、縦送りカム軸(51)に取付けた左右一対の縦送りカム(52)が苗載台(33)の苗を縦送りするものであり、苗載台(33)側には、縦送りカム(52)と接当する単一の接当アームが設けられている（例えば、後記引用刊行物３参照。）ことは、明らかである。
　上記記載及び図面を当業者の技術水準を考慮してみると、引用刊行物１には、
　上方側ほど前方に位置する前傾姿勢の苗載台(33)に載置された苗を該苗載台(33)の下端部から植付機構部(34)で取り出して圃場に植付ける作動を行うと共に、この植付け作動時に横送り機構で苗載台(33)を横方向に往復作動させ、この作動によって苗載台(33)が横移動ストロークエンドに達する毎に縦送り装置で苗載台(33)に載置された苗を所定量ずつ下端側に向けて送る作動を行うよう植付部(Ｃ)が構成されている田植機であって、
　前記横送り機構を、植付部(Ｃ)に備えた植付駆動ケース(22)に一端側を支持させるとともに他端側を植付駆動ケース(22)の横一側外方に突出配置した横送りネジ(46)と、この横送りネジ(46)に形成された往復螺旋溝に係合して前記横送りネジ(46)の回転により苗載台(33)を横方向に往復移動させるように前記苗載台(33)側に固定されたコマ部材とで構成し、
　前記植付駆動ケース(22)の前記横送りネジ(46)を突出配置した側と同じ横一側外方に縦送り動力伝達用のカム軸(51)を突出配置し、苗載台(33)が横移動ストロークエンドに達する毎に、このカム軸(51）に取付けた左右一対の縦送りカム(52)を、苗載台(33)側に設けた単一の接当アームに接当させて前記縦送り装置を駆動するよう構成し、
　前記カム軸(51)を、左右方向では、前記植付駆動ケース(22)から突出する横送りネジ(46)の突出長さ範囲内に前記左右一対の縦送りカム(52)が位置するように配設してあり、
　前記植付駆動ケース(22)から突出する横送りネジ(46)の突出端の位置を、左右方向で前記左右一対の縦送りカム(52)が位置する箇所よりも植付駆動ケース(22)から離れた箇所に設定して、前記カム軸(51)に装備された前記左右一対の縦送りカム(52)が、左右方向では、前記植付駆動ケース(22)から突出する横送りネジ(46)の突出長さ範囲内に位置するように配設してあり、
　走行部(Ｂ)のミッションケース(５)から植付駆動軸(21)を介して植付駆動ケース(22)内の伝動系に動力を伝達し、
　又、植付駆動ケース(22)における前記横送りネジ(46)の配設側とは反対側の横側部に、前記横送りネジ(46)に対する駆動系を横送り駆動歯車(41)及び横送り従動歯車(43)とで構成し、横送り駆動歯車(41)及び横送り従動歯車(43)の歯車比を変更して再度組付けることにより、横送りネジ(46)の回転速度を変更する田植機（以下、「引用刊行物１の発明」という。）が記載されていると認められる。
（２）当審における拒絶の理由に引用された実公昭６１−４００８８号公報（以下、「引用刊行物２」という。）には、次の記載が認められる。
（２-a）「変速ケース１３に摺動自在に支持されているシフター軸１７にはスリーブ状の変速軸１９が回転自在に支持されており、変速軸１９には歯車１６に噛合している歯車２０が固定されている。更に、変速軸１９には歯数の異なる大、中、小の歯車２１，２２，２３が互に隣接して遊嵌されており、これら歯車２１，２２，２３はそれぞれカム軸２５の一端部２５ａに固定されている歯車２６，２７，２８に常時噛合している。」（２頁左欄１６〜２５行）、
（２-b）「シフター軸１７は・・・、更にその一端に握り３７が、また他端に摺動範囲を規制するストツパー３９が設けられている。」（２頁左欄３３〜３８行）、
（２-c）「今、第３図実線に示すように、シフター軸１７のランド部３６が小歯車２３部分に位置していると、真中のボール４１が変速軸１９の孔４０から突出し、歯車２３の凹部４２に係合して変速軸１９の回転が歯車２３に伝達され、更に歯車２８を介してカム軸２５に伝達される。これにより、カム軸２５は低速で回転され、」（２頁右欄２２〜２９行）。
（２-d）第２図又は第３図には、変速ケース１３におけるカム軸２５の配設側とは反対側の横側部に、カム軸２５への変速機構を変速操作するためのシフター軸１７を配置したことが示されている。
（３）当審における拒絶の理由に引用された実願昭５６−９０９７１号（実開昭５７−２０３７２０号）のマイクロフイルム（以下、「引用刊行物３」という。）には、
（３-a）「伝動ケース(11)内には、走行車体(１)側から伸縮自在軸(18)を介して動力伝達される入力軸(19)を・・・備えると共に、・・・駆動軸(22)、前記苗載台(16)を左右に往復横送するための往復ねじ溝(24)を有する横送軸(25)が・・・軸支され」（４頁１１〜１７行）、
（３-b）「(30)は伝動ケース(11)の外側に苗載台(16)と平行に軸支した縦送駆動軸で、該縦送駆動軸(30)には、苗載台(16)の横送り距離を隔てて左右一対のホロアカム(31)(31)を固着する一方、苗載台(16)の裏面下部に縦送軸(32)を苗載台(16)と平行に軸支し、該縦送軸(32)には一方向の動きによつてのみ縦送軸(32)を同一方向に一ピッチづつ間欠回転するようにした送りカム(33)を設け」（５頁７〜１４行）と記載されている。
（３-c）第４図には、縦送駆動軸(30)を、その左右一対のホロアカム(31)(31)の回転軌跡が伝動ケース(11)の下端よりも上方で、横送軸(25)よりも下方に位置する構成が示されている。
（４）当審における拒絶の理由に引用された実願昭５９−１２３６０６号（実開昭６１−３７７３９号）のマイクロフイルム（以下、「引用刊行物４」という。）には、「３４は、苗載台１４の裏面に設ける苗縦送り機構で、該苗縦送り機構３４における縦送り軸３５に取付く爪車３６を苗載台１４の表面側に突出させてあり、横送り機構３７による苗載台１４の横移動終端にて、間欠縦送りカム機構３８を介して前記爪車３６を間欠回動させて、苗載台１４上の苗マットを前記ガイドレール２２方向に縦送りする。」（８頁１〜８行）と記載されており、また、第３図には、間欠縦送りカム機構３８を、そのホロアカムの回転軌跡が伝動ケース１０の下端よりも上方で、横送り機構３７よりも下方に位置する構成が示されている。
（５）実願昭６２−３４３３７号（実開昭６３−１４１３４８号）のマイクロフイルム（以下、「参考文献１」という。）には、「動力伝達部ケース１０の後端から突出するＰＴＯ軸から伸縮自在軸３５を介して伝動ケース１６の入力軸３６から傘歯車３７，３８を経て、軸３９のチエンスプロケット４０及びチエンを介して中央植付伝動ケース１７内の伝動機構４１に、また連結パイプ１８内の伝動軸４２を介して左右両側の植付伝動ケース１９，１９内の伝動機構４１，４１に各々動力伝達し、各植付伝動ケース１７，１９の左右両側に装着されたロータリ式の植付機構２３を回転駆動する。」（１０頁３〜８行）、「連結パイプ１８と平行状に配設され、且つ伝動ケース１６外に配設される横送軸４３は、伝動ケース１６内のキー体摺動式の変速装置４４により回転するように一端を伝動ケース１６内で軸支され、」（１０頁１３〜１７行）と記載されており、また、第４図には、
走行機体側からの動力を入力する入力軸３６を、横送軸４３より下方箇所で植付伝動ケース１７，１９内の伝動系に対する伝動軸４２よりも上方位置で植付伝動ケース１６に支持させる構成が示されている。
　
３．対比・判断
　本願発明と引用刊行物１の発明とを対比する。
（ｉ）引用刊行物１の発明の「苗載台(33)」が、本願発明の「苗のせ台（７）」に対応し、同様に、「植付機構部(34）」が「植付機構（８）」に、「植付部(Ｃ)」が「苗植付装置（２）」に、「駆動軸ケース(72）」が「フィードケース（６）」に、「植付駆動ケース(22)」が「植付伝動ケース（４）」に、「横送りネジ(46)」が「螺軸（１８）」に、「カム軸(51)」が「常時回転軸（２７）」に、「縦送りカム(52)」が「回転カム（２９）」に、それぞれ対応する。
（ii）引用刊行物１の発明において、苗載台(33)を横移動自在に搭載する固定側枠体を備えていることは明らかである。
　そうすると、本願発明と引用刊行物１の発明とは、
　上方側ほど前方に位置する前傾姿勢の苗のせ台に載置された苗を該苗のせ台の下端部から植付機構で取り出して圃場に植付ける作動を行うと共に、この植付け作動時に横送り機構で苗のせ台を横方向に往復作動させ、この作動によって苗のせ台が横移動ストロークエンドに達する毎に縦送り装置で苗のせ台に載置された苗を所定量ずつ下端側に向けて送る作動を行うよう苗植付装置が構成されている田植機であって、
　前記苗のせ台を横移動自在に搭載する固定側枠体を備え、
　前記横送り機構を、苗植付装置の前記固定側枠体に備えた植付伝動ケースに一端側を支持させるとともに他端側を植付伝動ケースの横一側外方に突出配置した螺軸と、この螺軸に形成された往復螺旋溝に係合して前記螺軸の回転により苗のせ台を横方向に往復移動させるように前記苗のせ台側に固定されたコマ部材とで構成し、
　前記植付伝動ケースの前記螺軸を突出配置した側と同じ横一側外方に縦送り動力伝達用の常時回転軸を突出配置し、苗のせ台が横移動ストロークエンドに達する毎に、この常時回転軸に取付けた左右一対の回転カムを、苗のせ台側に設けた単一の接当アームに接当させて前記縦送り装置を駆動するよう構成し、
　前記植付伝動ケースから突出する螺軸の突出端の位置を、左右方向で前記左右一対の回転カムが位置する箇所よりも伝動ケースから離れた箇所に設定してある田植機で一致し、次の点で構成が相違する。
　相違点（Ａ）
　苗のせ台を横移動自在に搭載する固定側枠体を、本願発明では、「後部側に前記植付機構（８）を備えて苗のせ台（７）の横移動方向での複数箇所に配置されたフィードケース（６）と、各フィードケース（６）の前部側を互いに連結するフレーム（５）とにより構成し」ているのに対し、引用刊行物１の発明では、固定側枠体の具体的構成が不明である点。
　相違点（Ｂ）
　常時回転軸、フィードケース、フレーム、回転カム、螺軸、植付伝動ケース、入力用伝動軸等の相対的位置を、本願発明では、常時回転軸（２７）を、その左右一対の回転カム（２９）の回転軌跡がフィードケース（６）及びフレーム（５）の下端よりも上方で、螺軸（１８）よりも下方に配設するとともに、前記常時回転軸（２７）に装備された前記左右一対の回転カム（２９）が、上下方向では前記フィードケース（６）及びフレーム（５）の下端と前記螺軸（１８）との間に位置し、植付伝動ケース（４）に一端側を支持される螺軸（１８）は、当該植付伝動ケース（４）から突出する伝動用の軸のうちで最も高位に位置するように、植付伝動ケース（４）の上部箇所に配設されているとともに、前記植付伝動ケース（４）内の伝動系に走行機体側からの動力を伝える伝動軸（１４）を前記螺軸（１８）よりも下方箇所で、かつ前記フィードケース（６）内の伝動系に対する入力用伝動軸（３２，３４）よりも上方位置で前記植付伝動ケース（４）に支持させ、前記伝動軸（１４）から上方側に向けて前記螺軸（１８）に対する駆動系に介装される変速機構（１７）を設け、前記伝動軸（１４）から下方側に向けて前記フィードケース（６）内の伝動系に対する入力用伝動軸（３２，３４）への伝動機構（３１）を配設しているのに対し、引用刊行物１の発明では、常時回転軸（カム軸(51)）、フィードケース、フレーム、及び回転カム（縦送りカム(52)）等の相対的位置関係が不明である点。
　相違点（Ｃ） 
　常時回転軸に装備された前記左右一対の回転カムの左右方向での位置が、本願発明では、「植付伝動ケースから突出する螺軸の突出長さ範囲内に位置するように配設してある」のに対し、引用刊行物１の発明では、螺軸（横送りネジ(46)）の突出長さ範囲内に位置しているか不明である点。 
　相違点（Ｄ） 
　本願発明では、「植付伝動ケース（４）における前記螺軸（１８）の配設側とは反対側の横側部に、前記螺軸（１８）に対する駆動系に介装される変速機構（１７）の変速操作具（３６）を配置してある」というものであるのに対して、引用刊行物１の発明では、横送り駆動歯車(41)及び横送り従動歯車(43)の歯車比を変更して再度組付けることにより、横送りネジ(46)の回転速度を変更し、変速操作具を備えていない点。
　上記相違点について検討する。
　相違点（Ａ）について
　引用刊行物１には、後部側に植付機構（植付機構部(34)）を備えたフィードケース（駆動軸ケース(72)）を苗のせ台（苗載台(33)）の横移動方向での複数箇所に配置し、各フィードケース（駆動軸ケース(72)）の前部側をフレーム（連結パイプ(71)）で互いに連結しており、このフィードケース（駆動軸ケース(72)）とフレーム（連結パイプ(71)）とで苗のせ台を横移動自在に搭載する固定側枠体を構成することは当業者なら容易にできる設計事項にすぎない。
　相違点（Ｂ）について
　引用刊行物１の発明は、回転カム（縦送りカム(52)）が設けられた常時回転軸（カム軸(51)）、フィードケース（駆動軸ケース(72)）、フレーム（連結パイプ(71)）、螺軸（横送りネジ(46)）及び植付伝動ケース（植付駆動ケース(22)）内の伝動系に走行機体側からの動力を伝える伝動軸（植付駆動軸（21））を備えているが、これらの構成部材の上下方向の相対的位置関係が不明である。
　しかしながら、引用刊行物３には、常時回転軸（縦送駆動軸(30)）を、その左右一対の回転カム（ホロアカム(31)(31)）の回転軌跡が（伝動ケース(11)）の下端よりも上方で、螺軸（横送軸(25)）よりも下方に位置するように配置するとともに、走行機体側からの動力を入力する入力軸(19)を、螺軸（横送り軸(25)）よりも下方箇所で、かつ前記フィードケース（植付ケース(13)）内の伝動系に対する入力用伝動軸（中間爪軸(35)）よりも上方位置で前記植付伝動ケース（伝動ケース(11)）に支持させることが記載されており、また、引用刊行物４には、間欠縦送りカム機構３８を、その回転カム（ホロアカム）の回転軌跡が植付伝動ケース（伝動ケース１０）の下端よりも上方で、螺軸（横送り機構３７）よりも下方に位置するように配置することが記載されている。
　さらに、走行機体側からの動力を入力する入力軸を、螺軸（横送軸４３）より下方箇所でフィードケース（植付伝動ケース１７，１９）内の伝動系に対する入力用伝動軸（伝動軸４２）よりも上方位置で植付伝動ケース（伝動ケース１６）に支持させることは周知である（参考文献１参照。）。
　そうすると、引用刊行物１の発明において、常時回転軸（カム軸(51)）を、その左右一対の回転カム（縦送りカム(52)）の回転軌跡が植付伝動ケース（植付駆動ケース(22)）の下端よりも上方で、螺軸（横送りネジ(46)）よりも下方に位置するように配置するとともに、走行機体側からの動力を入力する入力軸(35)を、螺軸（横送りネジ(46)）よりも下方箇所で、かつ前記フィードケース（駆動軸ケース(72)）内の伝動系に対する入力用伝動軸（植付伝導軸(57)）よりも上方位置で前記植付伝動ケース（植付駆動ケース(22)）に支持させ、上記相違点（Ｂ）における本願発明のように構成することは当業者なら容易に想到できることである。
　相違点（Ｃ）について
　常時回転軸に装備された左右の回転カム間の距離は、螺軸の長さよりも短いので、引用刊行物１の発明において、常時回転軸（カム軸(51)）に装備された左右一対の回転カム（縦送りカム(52)）を、左右方向で、植付伝動ケース（植付駆動ケース(22)）から突出する螺軸（横送りネジ(46)）の突出長さ範囲内に位置するように配設することは当業者なら容易にできることである。
　相違点（Ｄ）について
　引用刊行物２には、大、中、小の歯車２１，２２，２３と歯車２６，２７，２８で構成した変速機構によってカム軸２５を変速できるようにし、変速ケース１３におけるカム軸２５の配設側とは反対側の横側部に、変速機構を変速操作するシフター軸１７を配置することが記載されている。
　そして、引用刊行物１の発明は、横送り駆動歯車（４１）及び横送り従動歯車（４３）の歯車比を変更して再度組付けることにより、横送りネジ（４６）の回転速度を変更するものであり、この横送りネジ（４６）の回転速度を変速する構成を、引用刊行物２に記載された変速機構とすることは当業者なら容易に想到し得ることであり、その際、変速機構の操作部材（シフター軸１７）をカム軸２５が設けられていない側に配設することは、操作部材を配置するための空間等を考慮し当業者なら容易にできることである。
　そして、本願発明が奏する効果は、引用刊行物１ないし４に記載された発明から予測できる程度であって格別顕著なものではないから、本願発明は、引用刊行物１ないし４に記載された発明に基づいて、当業者が容易に発明をすることができたものである。
　
４．むすび
　以上のとおりであり、本願発明は、引用刊行物１ないし４に記載された発明に基づいて当業者が容易に発明をすることができたものであるから、特許法第２９条第２項の規定により特許を受けることができない。
　よって、結論のとおり審決する。